【事件の表示】
　特許第３３７５５９８号「引き違い戸の鎌錠装置」の請求項１乃至３に係る特許に対する特許異議の申立てについて、次のとおり決定する。
【結　論】
　特許第３３７５５９８号の請求項１乃至３に係る特許を維持する。
【理　由】
１．手続の経緯
　本件特許第３３７５５９８号の請求項１乃至３に係る発明（以下、「本件請求項１乃至３に係る発明」という。）についての出願は、平成１２年５月２５日に出願され、平成１４年１１月２９日にその発明について特許権の設定登録がなされ、その後、平成１５年８月８日に橋本保彦より、特許異議の申立てがなされたものである。
　　　　　　
２．本件請求項１乃至３に係る発明  
　本件請求項１乃至３に係る発明は、特許請求の範囲の請求項１乃至３に記載された事項により特定される以下のとおりのものである。
「【請求項１】　一方の引戸１の框２に内装された鎌キャッチャー３と、この鎌キャッチャー３に自在に係脱する鎌片４を前記框２に対向する框５内に備えた他方の引戸６とから成り、前記鎌キャッチャー３は、左右の引戸をそれぞれ閉める方向へ移動すると、鎌片４との係合位置が変わるラチェット歯状の係合部１２を有すると共に、バネ部材１０のバネ力に抗して回転することができるように框２に横設軸架された固定軸１３に軸支され、一方、鎌片４は框５に摺動自在に内装された作動部材２３の作動により回転して先端部４ａが前記係合部に選択的に係合するように框５内に固定支軸３０を介して軸支されていることを特徴とする引き違い戸の鎌錠装置。
　【請求項２】　請求項１に於いて、鎌片４は、掛合時に鎌キャッチャー３の係合部１２の係合溝に同時に係合する２枚以上の係合爪片を有することを特徴とする引き違い戸の鎌錠装置。
　【請求項３】　一方の引戸１の框２に内装された鎌キャッチャー３Ａと、この鎌キャッチャー３Ａに自在に係脱する鎌片４Ａを前記框２に対向する框５内に備えた他方の引戸６とから成り、前記鎌キャッチャー３Ａは、左右の引戸をそれぞれ閉める方向へ移動すると、鎌片４Ａとの係合位置が変わる断面矩形波形状の係合部１２Ａを有すると共に、バネ部材１０のバネ力に抗して回転することができるように框２に横設軸架された固定軸１３に軸支され、一方、鎌片４Ａは框５に摺動自在に内装された作動部材２３の作動により回転してテーパ状スライド係合面を有する先端部４ａが前記係合部に選択的に係合するように框５内に固定支軸３０を介して軸支されていることを特徴とする引き違い戸の鎌錠装置。」
　　　　　
３．特許異議の申立ての概要
（１）異議申立人は、甲第１号証を提出し、本件請求項１乃至３に係る発明の特許は、本件の出願前に特許出願された特願２０００−２８７５１号の発明と同一であり、特許法第３９条第１項の規定に違反してなされたものであること、及び
（２）甲第１乃至４号証を提出し、本件請求項１乃至３に係る発明の特許は、甲第１乃至４号証に記載された発明に基いて当業者が容易に発明をすることができたものであり、特許法第２９条第２項の規定に違反してなされたものであること、を理由とし、本件請求項１乃至３に係る発明の特許を取り消すべきものであると主張している。
（なお、異議申立人は、（１）のように、特許法第３９条第１項の規定の違反を主張しているが、上記先願発明の発明者及び出願人は本件発明の発明者及び出願人とはそれぞれ異なり、拡大された先願権を有する特許法第２９条の２の規定が適用可能であるから、特許法第３９条第１項の規定に代えて特許法第２９条の２の規定に違反するか否かについて検討すれば足りる。）
　甲第１号証：特開２００１−２２０９３０号公報
　甲第２号証：実願昭４８−７４１１４号（実開昭５０−１９８９３号）のマイクロフィルム
　甲第３号証：実公昭２８−１０９９３号公報
　甲第４号証：特開２０００−２０２５号公報
　　　　　　　　
４．先願明細書記載の発明及び甲第２乃至４号証記載の発明
　異議申立人が提示した、本件の出願の日前の平成１２年２月７日の特許出願に係り、本件の出願後の平成１３年８月１７日に出願公開された特願２０００−２８７５１号（特開２００１−２２０９３０号公報（甲第１号証）参照）の願書に最初に添付した明細書又は図面（以下、「先願明細書」という。）には、
「【請求項１】　上枠、下枠および左右の縦枠からなる枠体と、この枠体内に引違いに開閉自在に設けられた内外の障子と、障子の召し合せ部に設けられた召し合せ錠とを備え、前記召し合せ錠は内障子側に設けられ施錠操作により室外方向へ突出可能な鎌と、外障子側に設けられ室外方向へ突出した鎌を受ける受部とを有し、前記鎌および受部の何れか一方に障子開閉方向に向って階段状部を形成し、他方にその階段状部に係合する係合部を設け、前記受部は鎌と対向する方向に付勢部材により付勢されていることを特徴とする建具。」、
「【０００１】
【発明の属する技術分野】本発明は、建具に係り、特に召し合せ部のずれに伴う召し合せ錠の施錠時における鎌と受部の隙間によるがたつきを解消した建具に関する。」、
「【０００２】
【従来の技術】引戸などの建具としては、上枠、下枠および左右の縦枠からなる枠体と、この枠体内に引違いに開閉自在に設けられた内外の障子（引戸、戸体を含む。）と、障子の召し合せ部に設けられた召し合せ錠とを備えているものが知られている。この召し合せ錠は、内障子側に設けられ施錠操作により室外方向へ突出可能な鎌と、外障子側に設けられ室外方向へ突出した鎌を受ける受部例えば切欠部とを有している。」、
「【０００９】前記下枠ｌｂは、障子の荷重に耐え得るように金属材例えばステンレスの曲げ加工材からなり、非断熱構造とされているが、断熱構造とされていてもよい。前記枠体１内には、障子用のレール２ａ，２ｂ，３ａ，３ｂを介して可動障子である内外の障子（外障子と内障子）４，５が引違いに開閉自在（開閉可能）に設けられていると共に、室内側に網戸用のレール２ｃ，３ｃを介して網戸６が開閉自在に設けられている。外障子４は、上框７ａ、下框７ｂおよび左右の縦框（召し合せ框、戸先框）７ｃ，７ｄを組んだ框組体７にパネル体例えばガラス８を組込んで（嵌め込ん）でなる。」、
「【００１２】前記障子４，５の召し合せ部である召し合せ框７ｃ，９ｃには、図４ないし図５に示すように、召し合せ錠１０が設けられている。この召し合せ錠１０は、内障子側に設けられ施錠操作により室外方向へ突出可能な鎌１９と、外障子側に設けられ室外方向へ突出した鎌１９を受ける受部３２とを有している。また、図示例の召し合せ錠１０は、外障子４と内障子５の両方に鍵操作で施解錠可能なシリンダー１１，１２を有しており、内障子側のシリンダー（内シリンダーともいう）１２には通常時は摘み１３ａ付きの鍵１３が取付けられている。」、
「【００１４】更に具体的に説明すると、前記召し合せ錠１０は、内障子５の召し合せ框（召し内框ともいう）９ｃの内部における室外面側に設けられた錠機構（内錠ともいう）１５と、外障子４の召し合せ框（召し外框ともいう）７ｃの内部における室内面側に設けられた錠機構（外錠ともいう）１６とを対向して有している。内錠１５が召し内框９ｃ内の室内面側に設けられた前記内シリンダー１２と連結部材１４を介して連結されている。内錠１５は、ケーシング１７内に障子開閉方向に沿って配置した支軸１８を介して室内外方向の垂直面上を回動自在に設けられた鎌１９を有し、この鎌１９が施錠時に室外側に突出し、解錠時に室内側のケーシング１７内に没入（収納）されるようになっている。
【００１５】また、ケーシング１７内の前記鎌１９よりも上方には、外障子側のシリンダー（外シリンダーともいう）１１との間で連動機構２０を構成する一方の連動部材（内連動部材ともいう）２０ａが前記鎌１９の支軸１８と平行な支軸２１を介して回勤自在に設けられている。また、ケーシング１７内には、前記連結部材１４が上下方向に移動自在に設けられ、この連結部材１４に対して前記鎌１９および内連動部材２０ａが軸（具体的には軸と受け）２２，２３を介してそれぞれ連結されている。
【００１６】召し内框９ｃの室内面には、摘み付き鍵１３の摘み１３ａ部分を上下方向に移動操作するために、摘み１３ａ部分を移動自在に収容する操作部枠２４が設けられ、この操作部枠２４の背面側に前記内シリンダー１２が上下方向に移動自在に設けられている。……
【００１７】内シリンダー１２は、その後端よりバネ力で室外方向へ突出付勢された係合部材２７を有し、この係合部材２７が前記連結部材１４に形成された係合受部（係合穴）２８に着脱自在に係合（接合）されている。前記係合部２７は、例えは内シリンダー１２のプラグの後端に突設されている。これにより、図５に示すように、摘み付き鍵１３の摘み１３ａを上方から下方に移動操作すると、内シリンダー１２と係合部材２７を介して連結された連結部材１４が下方へ移動操作され、鎌１９が施錠位置に突出すると共に、内連動部材１４が施錠位置に切換わり、逆に、図４に示すように、摘み１３ａを下方から上方へ移動操作すると、内シリンダー１２、と係合部材２７を介して連結された連結部材２０ａが上方へ移動操作され、鎌１９が解錠位置に没入すると共に、内連動部材２０ａが解錠位置に切換わるように構成されている。」、
「【００１９】一方、外錠１６は、障子４，５の閉鎖状態において、ケーシング３１内における前記内錠１５の鎌１９と対応する位置に施錠時に内錠１５から室外方向へ突出した鎌１９を係止する後述の受部３２を有しており、召し内框９ｃの室外面から室外方向へ突出した内錠１５の鎌１９が外錠１６の受部３２に係止されることで施錠状態となる。また、ケーシング３１内の前記受部３２よりも上方には、前記運動機構２０を構成する他方の連動部材（外連動部材ともいう）２０ｂが支軸３３を介して回動自在に設けられている。外シリンダー１１は召し外框７ｃ内の室外側に設けられ、その図示しないプラグの鍵穴が召し外框７ｃの室外面に露出されている。
【００２０】外シリンダー１１は、図示しない鍵の操作により外連動部材２０ｂが施錠位置もしくは解錠位置に選択的に切換えられ、この外連動部材２０ｂが対向する内連動部材２０ａを介して連結部材１４を上下に動かし、内錠１５の鎌１９を施錠位置もしくは解錠位置に駆動するように構成されている。すなわち、内シリンダー１２と外シリンダー１１は、連結部材１４および連動機構２０を介して連係され、何れか一方の鍵操作（内シリンダーは摘み付き鍵の上下動操作、外シリンダーは鍵の回勤操作）で鎌１９を駆動して施解錠可能になっている。なお、内シリンダー１２の摘み付き鍵１３と外シリンダー１１の鍵は、互いに互換性がある（例えば内シリンダーの摘み付き鍵を外シリンダーに差し込んで操作可能）ことが好ましいが、互換性がなくてもよい。
【００２１】前記受部３２は、図６ないし図７にも示すように、外錠１６のケーシング３１内に障子開閉方向に沿って配置された支軸３４を介して室内外方向の垂直面上を回動自在に設けられており、付勢部材であるバネ３５により鎌１９と対向する方向（室内方向）へ付勢されている。また、外錠１６のケーシング３１の室内端には、室外方向へ回動突出した鎌１９が外錠１６のケーシング３１内に入り込むための開口部（切欠部）３６が形成され、この開口部３６の上壁内面部に鎌１９が施錠時に引っ掛かるように構成されている。
【００２２】前記開口部３６は、召し合せずれに対して調整レスとするために障子開閉方向の開口幅が大きく形成されている。そして、調整レスとしていることによる鎌１９と開口部３６との間の隙間に起因するがたつきを抑制ないし防止するために、前記鎌１９および受部３２の何れか一方（図示例では受部）には障子開閉方向に向って階段状部３７が形成され、他方（図示例では鎌）にはその階段状部３７に係合する係合部３８が設けられている。また、鎌１９の係合部３８が階段状部３７の何れの段にも確実に当接するように、受部３２が鎌１９に当接する方向（対向方向）へバネ３５で付勢されている。」、
「【００２４】前記階段状部３７は、外障子４の閉まり方向に行くほど室内方向に接近するように、複数段図示例では最下段３７ａおよび最上段３７ｄを含めて４段の階段状に形成されており、前記係合部３８は階段状部３７の各段に係合ないし当接しうるように例えば凸状に形成されている。そして、受部３２は、前記開口部３６による規制と合せて、図７の（ａ）および図８の（ａ）〜（ｄ）に示すように、複数の召し合せずれ位置に対応できるようになっている。」と記載されている。
　以上の記載によれば、先願明細書には
「外障子４の召し合せ框７ｃに内装された受部３２と、この受部３２に自在に係脱する鎌１９を前記召し合せ框７ｃに対向する召し合せ框９ｃ内に備えた内障子５とから成り、前記受部３２は、内外の障子４，５をそれぞれ閉める方向へ移動すると、鎌１９との係合位置が変わる階段状の係合部３７を有すると共に、バネ３５のバネ力に抗して回転することができるように召し合せ框７ｃに横設軸架された支軸３４に軸支され、一方、鎌１９は召し合せ框９ｃに摺動自在に内装された連結部材１４の作動により回転して係合部３８が前記階段状の係合部３７に選択的に係合するように召し合せ框９ｃ内に支軸１８を介して軸支されている引き違い障子の召し合せ錠装置」という発明（以下、「先願明細書記載の発明」という。）が記載されていると認められる。
　甲第２号証には、
「ラツチ受座にラツチに係合する係合凹部を規則的なピッチで複数形成した仮施錠錠。」（実用新案登録請求の範囲）、
「第３，４図は、ラツチ受座(1)に一定のピッチで並列に配置した突条(4)を形成し、該各突条(4)間を係合凹部(3)としてある。
　係合凹部(3)は、そのラツチ係合面(5)をラツチ(2)の係合背面(9)に対して平行で受座(1)の平面に対して垂直に形成し、そのラツチ案内面(6)を閉扉方向に傾斜させてある。」（２頁１２行〜３頁３行）、
「なお係合凹部(3)は、第10図に示されるように、ラツチ(2)に形成する構成としてもよく、この場合はラツチ(2)の係合凹部(3)に係合する突起(8)をラツチ受座(1)に形成する。」（３頁１３行〜４頁１行）及び
「規則的なピツチで複数形成した係合凹部(3)の複数位置の任意の一つにラツチ(2)を係合し得るため、該ラツチ受座(1)の取付位置誤差の許容範囲が比較的大きく認められてその取り付けがより一層簡単化し、複雑な調節手段を要せず扉と扉枠との間隙をなくし得ると共に、例え長年に亘る使用によつて扉ないしは扉枠にガタ付きが生じてもこのガタ付きに応じた任意の一つの係合凹部(3)に係合すればよいから扉を常時一定の正しい位置状態に閉塞し得る。」（４頁９行〜５頁３行）と記載されている。
　甲第３号証には、
「出没自在の戸柱１受金２に対向する位置に戸３に錠片４を枢着しスプリング５で背圧をかけ且つ摺動杆６の肘材７端を連結し把手10の一端に出没自在に挿入した突子11の軸杆端を器体に緩着したカム12に嵌入押接させ摺動杆６の一部に押接すべく器に軸着した押杆９と該カム12との間に更にカムレバー13を介在させ、摺動杆６の制動用槓杆16の一端をスプリング19で偏心的に加圧して摺動杆６に随時接着せしめて成る開閉戸錠の構造。」（登録請求の範囲）と記載され、
　第１図には、「戸柱１の内側面にスプリングで出没する受金２を設け、戸３の上記受金２に対向する位置にスプリング５で背圧をかけられた錠片４を枢着し、錠片４を受金２にてロック状態に保持している構造。」が記載されていると認める。
　甲第４号証には、
「【特許請求の範囲】
【請求項１】　枠体に埋め込むトロヨケと、トロヨケの開口側に配置され、かつラッチを挿入可能なラッチ係合孔を形成した受座とを備えたラッチ受具において、前記トロヨケ内にラッチと係合可能な可動板をラッチの軸方向へ移動可能に収容し、該可動板を受座側へ付勢するとともに、該可動板を介しラッチ係合孔を閉塞可能にしたことを特徴とするラッチ受具。
【請求項２】　前記可動板の表面にラッチと係合可能な係合部を設けた請求項１記載のラッチ受具。
【請求項３】　前記係合部をラッチ係合孔に臨ませて配置した請求項１記載のラッチ受具。
【請求項４】　前記係合部にラッチと係合可能な複数の凸部を設けた請求項１記載のラッチ受具。」、
「【００１１】トロヨケ４の内部に可動板１５が前後に摺動可能に収容され、該可動板１５は肉厚の合成樹脂板をトロヨケ４と略同形に形成している。可動板１５の裏面とトロヨケ４との間にスプリング１６が介挿され、その弾性を介して可動板１５を前方へ付勢し、ラッチ係合孔１１を閉塞可能にしている。……」及び
「【００２２】この後、ドア２が戸当部３に当接し、その閉扉動作を停止するとともに、ラッチ１９の先端部が閉扉位置に対応する凸部１８ａに係合して停止し、更に、可動板１５がラッチスプリング（図示略）とスプリング１６との桔抗した位置で静止する。……
【００２３】このような閉扉時には図６のように、ラッチ１９の先端部が可動板１５の凸部１８ａに係合して移動を拘束されているから、従来のようなラッチ１９の先端部の解放に伴うドア２のガタツキが防止される。」と記載されている。
　　　　　　　　　
５．対比・判断
（１）第２９条の２違反について
（本件請求項１に係る発明について）
　本件請求項１に係る発明と先願明細書記載の発明とを対比すると、
先願明細書記載の発明の「外障子４」、「召し合せ框７ｃ」、「受部３２」、「鎌１９」、「召し合せ框９ｃ」、「内障子５」、「内外の障子４，５」、「バネ３５」、「支軸３４」、「連結部材１４」、「係合部３８」、「支軸１８」及び「障子」は、本件請求項１に係る発明の「一方の引戸１」、「框２」、「鎌キャッチャー３」、「鎌片４」、「框５」、「他方の引戸６」、「左右の引戸」、「バネ部材１０」、「固定軸１３」、「作動部材２３」、「先端部４ａ」、「固定支軸３０」及び「戸」に相当し、先願明細書記載の発明の召し合せ錠装置も、本件請求項１に係る発明と同様、鎌キャッチャーと鎌片に相当するものからなっており、鎌錠装置ということもできるから、本件請求項１に係る発明と先願明細書記載の発明とは、「一方の引戸の框に内装された鎌キャッチャーと、この鎌キャッチャーに自在に係脱する鎌片を前記框に対向する框内に備えた他方の引戸とから成り、前記鎌キャッチャーは、左右の引戸をそれぞれ閉める方向へ移動すると、鎌片との係合位置が変わる係合部を有すると共に、バネ部材のバネ力に抗して回転することができるように框に横設軸架された固定軸に軸支され、一方、鎌片は框に摺動自在に内装された作動部材の作動により回転して先端部が前記係合部に選択的に係合するように框内に固定支軸を介して軸支されている引き違い戸の鎌錠装置」である点で実質上一致しているが、鎌キャッチャーの係合部が、本件請求項１に係る発明では、ラチェット歯状の係合部であるのに対して、先願明細書記載の発明では、階段状の係合部である点で相違している。
　そこで、上記相違点について、検討すると、
　本件の出願前、引戸の錠装置において、鎌キャッチャーがラチェット歯状の係合部を有することは、甲第２号証乃至甲第４号証を参照しても、周知・慣用の技術手段であるとはいえず、上記相違点において、先願明細書記載の発明の事項に代え本件請求項１に係る発明の事項のようにすることは、単なる周知・慣用の技術手段の変更に相当するものとはいえないから、本件請求項１に係る発明は、上記先願明細書記載の発明と実質上同一であるとすることができない。
　　　　　　
（本件請求項２に係る発明について）
　本件請求項２に係る発明は、請求項１記載の発明を引用するものであるから、上記「（本件請求項１に係る発明について）」の判断と同様、本件請求項２に係る発明は、上記先願明細書記載の発明と実質上同一であるとすることができない。
　　　　　
（本件請求項３に係る発明について）
　本件請求項３に係る発明と先願明細書記載の発明とを対比すると、
　先願明細書記載の発明の「外障子４」、「召し合せ框７ｃ」、「受部３２」、「鎌１９」、「召し合せ框９ｃ」、「内障子５」、「内外の障子」、「バネ３５」、「支軸３４」、「連結部材１４」、「係合部３８」、「支軸１８」及び「障子」は、本件請求項３に係る発明の「一方の引戸１」、「框２」、「鎌キャッチャー３Ａ」、「鎌片４Ａ」、「框５」、「他方の引戸６」、「左右の引戸」、「バネ部材１０」、「固定軸１３」、「作動部材２３」、「先端部４ａ」、「固定支軸３０」及び「戸」に相当し、先願明細書記載の発明の召し合せ錠装置も、本件請求項３に係る発明と同様、鎌キャッチャーと鎌片に相当するものからなっており、鎌錠装置ということもできるから、本件請求項３に係る発明と先願明細書記載の発明とは、「一方の引戸の框に内装された鎌キャッチャーと、この鎌キャッチャーに自在に係脱する鎌片を前記框に対向する框内に備えた他方の引戸とから成り、前記鎌キャッチャーは、左右の引戸をそれぞれ閉める方向へ移動すると、鎌片との係合位置が変わる係合部を有すると共に、バネ部材のバネ力に抗して回転することができるように框に横設軸架された固定軸に軸支され、一方、鎌片は框に摺動自在に内装された作動部材の作動により回転して先端部が前記係合部に選択的に係合するように框内に固定支軸を介して軸支されている引き違い戸の鎌錠装置」である点で実質上一致しているが、本件請求項３に係る発明は、鎌キャッチャーが断面矩形波形状の係合部を有し、鎌片はテーパ状スライド係合面を有しているのに対して、先願明細書記載の発明は、鎌キャッチャーは階段状の係合部を有し、鎌片はテーパ状スライド係合面を有していない点、で相違している。
　そこで、上記相違点について、検討すると、
　本件の出願前、引戸の錠装置において、鎌キャッチャーが断面矩形波形状の係合部を有し、鎌片はテーパ状スライド係合面を有していることは、甲第２号証乃至甲第４号証を参照しても、周知・慣用の技術手段であるとはいえず、上記相違点において、先願明細書記載の発明の事項に代え本件請求項３に係る発明の事項のようにすることは、単なる周知・慣用の技術手段の変更に相当するものとはいえないから、本件請求項３に係る発明は、上記先願明細書記載の発明と実質上同一であるとすることができない。
　　　　　　　　　　　
（２）第２９条第２項違反について
（本件請求項１乃至３に係る発明について）
　異議申立人は、本件請求項１乃至３に係る発明の特定事項である「一方の引戸１の框２に内装された鎌キャッチャー３又は３Ａと、この鎌キャッチャー３又は３Ａに自在に係脱する鎌片４又は４Ａを前記框２に対向する框５内に備えた他方の引戸６とから成る引き違い戸の鎌錠装置」は、甲第１号証の段落【０００２】の【従来の技術】に記載されたところを引用し、本件の出願前、周知の技術であると主張しているが、甲第１号証は、前記の如く、本件の出願後公開されたものであり、また該当箇所には、周知の技術であることを立証する文献等も記載されていないから、単に甲第１号証の従来技術の記載をもって、上記特定事項が本件の出願前、周知又は公知の技術であるとすることができない。
　そして、異議申立人が提出した甲第２乃至４号証のいずれにも本件請求項１乃至３に係る発明の上記特定事項が記載されておらず、また本件請求項１乃至３に係る発明の上記特定事項は、甲第２乃至４号証記載の発明を組み合わせて当業者が容易に発明をすることができるとすることもできない。
　したがって、本件請求項１乃至３に係る発明は、上記甲第１乃至４号証記載の発明に基いて当業者が容易に発明をすることができたものとすることができない。　　　　　
６．むすび
　以上のとおりであるから、特許異議の申立ての理由及び証拠によっては、本件請求項１乃至３に係る発明の特許を取り消すことはできない。
　また、他に本件請求項１乃至３に係る発明の特許を取り消すべき理由を発見しない。
　よって、結論のとおり決定する。
【異議決定日】
平成１６年３月３日（２００４．３．３）